(57)【要約】【課題】  帳票レイアウトの特性を考慮して、帳票の定量的な規模を算出することにある。【解決手段】  帳票規模算出装置は、印字フィールドのデータに基づいて、印字フィールドと印字面積の関係を示すフィールド内密度を計算するフィールド内密度計算部と、帳票面積と印字フィールドの面積とに基づいて、帳票と印字フィールドの面積の関係を示すフィールド全体密度を計算する全体密度計算部と、計算したフィールド内密度とフィールド全体密度とに基づいて、帳票の規模を計算する品質基準計算部とを有する。【選択図】  図１
2020087071.tif 000002
【特許請求の範囲】
【請求項１】
印字フィールドのデータに基づいて、前記印字フィールドと印字面積の関係を示すフィールド内密度を計算するフィールド内密度計算部と、
帳票面積と前記印字フィールドの面積とに基づいて、帳票と前記印字フィールドの面積の関係を示すフィールド全体密度を計算する全体密度計算部と、
計算した前記フィールド内密度と前記フィールド全体密度とに基づいて、前記帳票の規模を計算する品質基準計算部と、
を有することを特徴とする帳票規模算出装置。
【請求項２】
請求項１に記載の帳票規模算出装置において、
帳票識別子を受付け、前記帳票識別子が存在するかどうかを判断することを特徴とする帳票規模算出装置。
【請求項３】
請求項１に記載の帳票規模算出装置において、
前記フィールド内密度計算部は、
前記印字フィールドの面積を計算し、
前記印字フィールドの印字面積を計算し、
計算した前記印字フィールドの面積と前記印字面積とから前記フィールド内密度を計算することを特徴とする帳票規模算出装置。
【請求項４】
請求項３に記載の帳票規模算出装置において、
前記フィールド内密度計算部は、
前記印字フィールドを識別する印字フィールド識別子に対応して前記フィールド内密度を登録することを特徴とする帳票規模算出装置。
【請求項５】
請求項１に記載の帳票規模算出装置において、
前記全体密度計算部は、
前記帳票面積を計算し、
前記帳票面積を前記印字フィールドの合計面積で割ることにより、前記フィールド全体密度を計算することを特徴とする帳票規模算出装置。
【請求項６】
請求項１に記載の帳票規模算出装置において、
前記品質基準計算部は、
印字フィールド数と、前記フィールド内密度とに基づいて、フィールド内平均密度を計算し、
前記フィールド内平均密度と前記フィールド全体密度とに基づいて、前記帳票の規模を計算することを特徴とする帳票規模算出装置。
【請求項７】
請求項１に記載の帳票規模算出装置において、
前記品質基準計算部は、
前記規模と環境設定数とに基づいて、
チェックリスト作成目標を計算し、
前記チェックリスト作成目標に基づいて不具合摘出目標を計算することを特徴とする帳票規模算出装置。
【請求項８】
請求項７に記載の帳票規模算出装置において、
前記品質基準計算部は、
帳票識別子単位の環境設定数を示す前記環境設定数を取得し、
前記チェックリスト作成目標を計算することを特徴とする帳票規模算出装置。
【請求項９】
請求項７に記載の帳票規模算出装置において、
前記品質基準計算部は、
前記チェックリスト作成目標と、定めておいた係数とに基づいて、前記不具合摘出目標を計算することを特徴とする帳票規模算出装置。
【請求項１０】
制御部と、記憶部と、通信制御部とを有する計算機が処理する帳票規模算出方法であって、
前記制御部は、
印字フィールドのデータに基づいて、前記印字フィールドと印字面積の関係を示すフィールド内密度を計算し、
帳票面積と前記印字フィールドの面積とに基づいて、帳票と前記印字フィールドの面積との関係を示すフィールド全体密度を計算し、
計算した前記フィールド内密度と前記フィールド全体密度とに基づいて、前記帳票の規模を計算することを特徴とする帳票規模算出方法。
【発明の詳細な説明】
【技術分野】
【０００１】
本発明は、帳票の定量的規模を算出する帳票規模算出装置に関する。
【背景技術】
【０００２】
近年、工場または事務所で出力される業務帳票について、業務データ増加に伴う印字項目の増加などを背景として、多様化及び複雑化している。また、業務帳票を出力定義するアプリケーションについて、システム老朽化対応、帳票定義ソフトの変更、紙形式から電子形式への変更など、既存の帳票定義アプリケーションを更新する必要性が高まっている。
【０００３】
帳票定義アプリケーションを更新する場合、現行の帳票数や編集条件数から大よそのアプリケーション規模を算出し、新環境で帳票を再定義後にテストを実施して評価する。しかし、各帳票の特性を考慮した規模の算出は困難であり、帳票定義の定量的なデータ化が必要である。
【０００４】
従来技術として、特許文献１に記載の技術が知られている。特許文献１には、「帳票を光学的に読み取って帳票の画像データを生成し、検出したキーワードとフィールドを、位置関係に基づいて対応付けて記憶する。」という記載がある。
【先行技術文献】
【特許文献】
【０００５】
【特許文献１】特開２０１６−１１５０８８号公報
【発明の概要】
【発明が解決しようとする課題】
【０００６】
特許文献１には、印字項目の面積算出及び記憶について記載されていない。近年の業務帳票においては、扱う業務データの増加によって印字項目数も増加し、帳票全体の面積に対して印字項目の面積が占める割合が高くなる傾向にある。また、帳票の視認性向上の為、印字する文字サイズを大きくさせて、各印字項目の面積も高くなる傾向にある。
【０００７】
また、特許文献１には、出力端末側の設定について考慮されていない。近年、帳票の出力形式が紙形式と電子形式に分かれており、帳票によっては、紙形式と電子形式の両方で出力する場合がある。また、出力端末側の設定も一元化されていない場合が想定され、端末毎に特有の設定がされていることも多い。
【０００８】
前述した印字項目の面積及び出力端末の設定を考慮しない場合、テスト工程にて正しく品質を評価できず、後工程にて問題が発生する可能性がある。例えば、帳票を紙で出力する場合、出力先プリンターの設定によっては、印字項目の重複や、文字切れが発生してしまう可能性がある。また、電子帳票として出力する場合においても、出力するクライアントのファームウェアや解像度設定によって、同様の問題が発生する可能性がある。
【０００９】
本発明は、帳票レイアウトの特性を考慮して、帳票の定量的な規模を算出することを目的とする。
【課題を解決するための手段】
【００１０】
本発明の好ましい一例は、印字フィールドのデータに基づいて、前記印字フィールドと印字面積との関係を示すフィールド内密度を計算するフィールド内密度計算部と、帳票面積と前記印字フィールドの面積とに基づいて、帳票と前記印字フィールドの面積の関係を示すフィールド全体密度を計算する全体密度計算部と、計算した前記フィールド内密度と前記フィールド全体密度とに基づいて、前記帳票の規模を計算する品質基準計算部と、を有する帳票規模算出装置である。
【発明の効果】
【００１１】
本発明によれば、帳票レイアウトの特性を考慮し、帳票の定量的な規模を算出することが可能になる。
【図面の簡単な説明】
【００１２】
【図１】帳票規模算出装置の処理手順を示すフローチャート。
【図２】帳票規模算出システム２００の全体構成例を示す図。
【図３】帳票規模算出サーバ２０１のハードウェア構成例を示す図。
【図４】帳票規模算出サーバ２０１が具備する帳票データテーブル３１４のデータ構成例を示す図。
【図５】帳票規模算出サーバ２０１が具備する印字フィールドテーブル３１５のデータ構成例を示す図。
【図６】帳票規模算出サーバ２０１が具備する環境設定テーブル３１６のデータ構成例を示す図。
【図７】帳票規模算出サーバ２０１が具備する品質基準テーブル３１７のデータ構成例を示す図。
【図８Ａ】帳票規模算出サーバ２０１が具備するフィールド内密度計算部３１１の処理を示すフローチャート１。
【図８Ｂ】帳票規模算出サーバ２０１が具備するフィールド内密度計算部３１１の処理を示すフローチャート２。
【図９】帳票規模算出サーバ２０１が具備するフィールド内密度計算部３１１の処理結果を示す図。
【図１０】帳票規模算出サーバ２０１が具備するフィールド全体密度計算部３１２の処理を示すフローチャート。
【図１１】帳票規模算出サーバ２０１が具備する品質基準計算部３１３の処理を示すフローチャート。
【発明を実施するための形態】
【００１３】
以下、実施例を、図面を用いて説明する。
【実施例１】
【００１４】
図１は、実施例１における帳票規模算出装置を、帳票更新プロジェクトのテスト計画作成に適用した場合の処理手順を示すフローチャートである。
【００１５】
ステップ１０１：利用者が図２に示すデータ入出力端末２０３、帳票読取機２０４から帳票の読み込みを実行させる。
【００１６】
ステップ１０２：利用者が帳票規模算出サーバ２０１のＵＲＬを入力し、読み込まれた帳票データは帳票規模算出サーバ２０１へ送信される。読み込まれた帳票のデータを、帳票規模算出サーバ２０１が受付ける。
【００１７】
ステップ１０３：帳票規模算出サーバ２０１が“帳票ＩＤを入力してください”とのガイダンスを表示する。利用者は帳票ＩＤ入力ガイダンスに従い、帳票ＩＤを入力し、帳票規模算出サーバ２０１に、帳票ＩＤが送信される。
【００１８】
ステップ１０４：帳票規模算出サーバ２０１は、利用者が入力した帳票ＩＤを受付け、帳票ＩＤデータが、帳票データテーブル３１４の帳票ＩＤ４０１に存在するかチェックする。
【００１９】
ステップ１０５：帳票ＩＤが既に存在する場合、帳票規模算出サーバ２０１は、“入力された帳票ＩＤは既に存在しています”とのエラーメッセージを出力し、帳票のデータが帳票ＩＤと一意に対応させるように注意を促す。そして、ステップ１０３へ移る。
【００２０】
ステップ１０６：帳票ＩＤが存在しない場合、帳票規模算出サーバ２０１は、利用者が登録した帳票ＩＤを帳票データテーブル３１４の帳票ＩＤ４０１に登録する。帳票データテーブル３１４の、印字フィールド数４０３と、帳票面積４０２と、フィールド合計面積４０４と、フィールド全体密度４０５のデータ値に“0”を登録する。
【００２１】
ステップ１０７：帳票規模算出サーバ２０１は、図８に示すフィールド内密度計算部３１１を呼び出して処理を行う。計算終了後、図９に示す印字フィールド画面を表示し、内容に問題がなければ利用者は送信ボタンを押下し、印字フィールド画面に表示されたデータは、帳票規模算出サーバ２０１に送信される。
【００２２】
ステップ１０８：帳票規模算出サーバ２０１は、図１０に示すフィールド全体密度計算部３１２を呼び出して処理を行う。
【００２３】
ステップ１０９：帳票規模算出サーバ２０１は、データ入出力端末２０３に、環境設定の入力画面を表示する。利用者は環境設定の入力画面に従い、図６に示す環境設定テーブル３１６の内容について、追加、編集、削除を行うことができる。プリンター設定６０６の内容については、出力プリンターの帳票印字に影響する余白や印字位置などの設定を、グルーピングして設定を行う。
【００２４】
ステップ１１０：利用者が、環境設定の入力し、入力完了後、環境設定に関するデータは、帳票規模算出サーバ２０１へ送信され、帳票規模算出サーバ２０１は環境設定テーブル３１６のデータを更新する。
【００２５】
ステップ１１１：帳票規模算出サーバ２０１は、図１１に示す品質基準計算部３１３を呼び出して処理を行う。
【００２６】
ステップ１１２：帳票規模算出サーバ２０１は、データ入出力端末２０３に、品質基準テーブル３１７を出力した画面を表示する。
フィールド内密度計算部、フィールド全体密度計算部、品質基準計算部の詳細は、後述する。
【００２７】
図２は、本実施例に係る帳票規模算出システム２００の全体構成例を示す図である。帳票規模算出システム２００は、帳票規模算出サーバ２０１とデータ入出力端末２０３とがネットワーク２０２に接続されて構成される。帳票規模算出サーバ２０１は、ユーザから入力された情報を基に、帳票の定量的な規模及びテスト品質基準を算出する。データ入出力端末２０３は、インターネットブラウザより、帳票規模算出サーバのＵＲＬを入力することで、入力情報を送信、および受信し、表示する。帳票読取機２０４は、紙形式の帳票の読み込みを行い、データ入出力端末２０３に読みこみしたデータを保持する。
【００２８】
図３は、帳票規模算出サーバ２０１のハードウェア構成例を示す図である。計算機である帳票規模算出サーバ２０１は、コントローラ（制御部）３０２と、メモリ３０３と、記憶部３０１にプログラム３１０として、フィールド内密度計算部３１１、フィールド全体密度計算部３１２、品質基準計算部３１３を具備する。
【００２９】
また、記憶部３０１には、帳票データテーブル３１４と、印字フィールドテーブル３１５と、環境設定テーブル３１６と、品質基準テーブル３１７を具備する。各部はバス（ＢＵＳ）によって接続されている。ＣＰＵなどのコントローラ３０２が、プログラムを呼び出して、それぞれの計算処理を実行する。
【００３０】
図４は、帳票規模算出サーバ２０１が具備する帳票データテーブルのデータ構成例を示す図である。帳票データテーブル３１４は、帳票ＩＤ４０１、帳票面積４０２、印字フィールド数４０３、フィールド合計面積４０４、および求めるフィールド全体密度４０５を格納するテーブルである。以下、図面では、印字フィールドを、フィールドと記載する。
図４に示すように、帳票データテーブル３１４は、帳票によって一意に決定される帳票ＩＤ４０１と、帳票内に条件によって最多表示された場合の印字フィールドの数量を示す印字フィールド数４０２と、帳票全体の面積を示す帳票面積４０２と、帳票内の印字フィールドの合計面積を示すフィールド合計面積４０４と、帳票全体における印字フィールドの割合を示すフィールド全体密度４０５をそれぞれ対応つけて記憶する。
【００３１】
図５は、帳票規模算出サーバ２０１が具備する印字フィールドテーブルのデータ構成例を示す図である。印字フィールドテーブル３１５は、帳票ＩＤ５０１、印字フィールドＩＤ５０２、フィールド面積５０３、設定フォント５０４、フォントサイズ５０５、文字間隔５０６、最大桁数５０７、および求めるフィールド内密度５０９を格納するテーブルである。
【００３２】
図５に示すように、印字フィールドテーブル３１５は、帳票によって一意に決定される帳票ＩＤ５０１と、印字フィールドによって一意に決定される印字フィールドＩＤ５０２と、フィールド単位での面積を示すフィールド面積５０３と、印字フィールドの文字フォントを示す設定フォント５０４と、文字フォントのサイズを示すフォントサイズ５０５と、印字文字の間隔を示す文字間隔５０６と、印字文字の最大桁数を示す最大桁数５０７と、印字フィールドと印字面積との関係、例えばフィールド内における印字文字面積の割合を示すフィールド内密度５０９をそれぞれ対応つけて記憶する。印字フィールドは、帳票のうち、文字、数字などを、利用者などが入力、もしくは出力するエリアをいう。
【００３３】
文字フォントのサイズや最大桁数について、帳票の編集条件によって可変し、フィールド内密度５０９も可変となる可能性があるが、印字フィールドテーブル３１５は、フィールド内密度５０９が最大となる値を保持する。内部特性とは、本実施例において、図５に示す印字フィールドテーブル３１５の設定内容を、帳票固有の内部的な特性として扱うものである。
【００３４】
図６は、帳票規模算出サーバ２０１が具備する環境設定テーブル３１６のデータ構成例を示す図である。環境設定テーブル３１６は、帳票ＩＤ、出力種別、ＯＳ設定、解像度、プリンター型番、プリンター設定を格納するテーブルである。
【００３５】
図６に示すように、環境設定テーブル３１６は、帳票によって一意に決定される帳票ＩＤ６０１と、帳票の出力形式を示す出力種別６０２と、電子形式の場合の出力端末のＯＳを示すＯＳ設定６０３と、電子形式の場合の出力端末の解像度を示す解像度６０４と、紙形式の場合の出力プリンターの型番を示すプリンター型番６０５と、プリンター毎に個別に設定された設定の内、印字位置や余白の設定内容をグループとして示すプリンター設定６０６をそれぞれ対応つけて記憶する。
【００３６】
外部特性とは、本実施例において、図６に示す環境設定テーブル３１６の設定内容を、帳票固有の外部的な特性として扱うものである。
【００３７】
図７は、帳票規模算出サーバ２０１が具備する品質基準テーブルのデータ構成例を示す図である。品質基準テーブル３１７は、帳票ＩＤ、内部規模ポイント、環境設定数、ＣＬ作成目標、不具合摘出目標を格納するテーブルである。図７に示すように、品質基準テーブル３１７は、票によって一意に決定される帳票ＩＤ７０１と、帳票データテーブル３１４と印字フィールドテーブル３１５の値から、定量的な数値データに変換した値を示す内部規模ポイント７０２と、環境設定テーブル３１６に格納された帳票ＩＤ単位の設定数を示す環境設定数７０３と、内部規模ポイント７０２及び環境設定数７０３を条件として算出する、帳票ＩＤ単位でのテスト工程のチェックリスト作成目標件数を示すＣＬ（チェックリスト）作成目標７０４と、テスト工程の不具合摘出目標を示す不具合摘出目標７０５をそれぞれ対応つけて記憶する。
【００３８】
図８Ａ、および図８Ｂは、帳票規模算出サーバ２０１が具備するフィールド内密度計算部３１１の処理を示すフローチャートである。各ステップは、フィールド内密度計算部３１１が実行する。
【００３９】
ステップ８０１：利用者が入力した帳票ＩＤを印字フィールドテーブル３１５に登録する。
【００４０】
ステップ８０２：印字フィールドテーブル３１５に印字フィールドＩＤを登録する。印字フィールドが複数存在する場合、帳票ＩＤは値を引継ぎ、印字フィールドＩＤは印字フィールドの単位で、重複がない値に自動採番して登録する。
【００４１】
ステップ８０３：印字フィールドのタテとヨコのサイズを読み込みし、印字フィールド面積を計算し、印字フィールドテーブル３１５に登録する。
【００４２】
ステップ８０４：印字フィールドの設定フォント、フォントサイズ、文字間隔、最大桁数を読み込みし、印字フィールドテーブル３１５に登録する。
【００４３】
ステップ８０５：印字フィールドテーブル３１５に登録された、設定フォント、フォントサイズ、文字間隔、最大桁数より、印字面積を計算して、印字フィールドＩＤに対応させて印字面積を、印字フィールドテーブル３１５に登録する。
【００４４】
ステップ８０６：印字面積の値が0であるかをチェックする。印字面積が0である場合はステップ８０７に移る。印字面積が0でない場合は、ステップ８０８に移る。
【００４５】
ステップ８０７：印字フィールドテーブル３１５のフィールド内密度５０９に0を登録する。
【００４６】
ステップ８０８：印字フィールドテーブル３１５に登録されたフィールド面積を印字面積で除算する。印字面積をフィールド面積で除算してもよい。
【００４７】
ステップ８０９：印字フィールドテーブル３１５のフィールド内密度５０９に、計算結果を登録する。
【００４８】
ステップ８１０：印字フィールドテーブル３１５のデータを画面に出力する。
【００４９】
図９に示す印字フィールド情報出力画面９００は、ステップ８１０にて、データ入出力端末２０３に情報を表示する画面の例を示すものである。図９に示す印字フィールド情報出力画面９００において、印字フィールドテーブル３１５に格納されている帳票ＩＤ９０１と、帳票ＩＤに紐付くデータ部９０２が表示される。
【００５０】
追加ボタン９０３を押下することで、印字フィールドデータの追加が可能である。編集ボタン９０４を押下することで、選択した印字フィールドＩＤの、印字フィールド面積、設定フォント、フォントサイズ、文字間隔、最大桁数の編集が可能である。
【００５１】
フィールド面積は印字フィールドのタテとヨコのサイズを入力することで、自動的に計算される。削除ボタン９０５を押下することで、印字フィールドデータの削除が可能である。表示データに問題がない場合は、送信ボタン９０６を押下することで、帳票規模算出サーバ２０１にデータを送信する。
【００５２】
ステップ８１１：送信ボタン９０６が押下されたかをチェックする。押下された場合は処理を終了する。押下されていない場合はステップ８１２に移る。
【００５３】
ステップ８１２：追加ボタン９０３、編集ボタン９０４、削除ボタン９０５が押下されたかをチェックする。追加ボタン９０３が押下された場合はステップ８０２に移り、編集ボタン９０４が押下された場合は選択された帳票ＩＤをキーとしてステップ８０３に移り、削除ボタン９０５が押下された場合はステップ８１３に移る。
【００５４】
ステップ８１３：削除選択されたデータを印字フィールドテーブル３１５から削除する。データを削除後、ステップ８１１に移る。
【００５５】
図１０は、帳票規模算出サーバ２０１が具備するフィールド全体密度計算部３１２の処理を示すフローチャートである。各ステップは、フィールド全体密度計算部３１２が実行する。
【００５６】
ステップ１００１：帳票のタテ、ヨコのサイズを読み込み、帳票面積を計算する。帳票データテーブル３１４の帳票面積４０２を、計算結果の値で更新する。
【００５７】
ステップ１００２：帳票ＩＤをキーとして、印字フィールドテーブル３１５より、印字フィールドＩＤ５０２が登録されたレコード数を取得する。帳票データテーブル３１４のフィールド数４０３を、計算結果の値で更新する。
【００５８】
ステップ１００３：帳票ＩＤをキーとして、印字フィールドテーブル３１５より、フィールド面積５０３を取得する。取得値を全て合計し、帳票データテーブル３１４のフィールド合計面積４０４の値を更新する。
【００５９】
ステップ１００４：帳票データテーブル３１４の帳票面積４０２を、フィールド合計面積４０４の値で除算し、帳票の面積と印字フィールドの面積との関係を示すフィールド全体密度４０５を計算結果の値で更新する。フィールド全体密度４０５は、フィールド合計面積４０４の値を帳票面積４０２で除算しでもよい。  図１１は、帳票規模算出サーバ２０１が具備する品質基準計算部３１３の処理を示すフローチャートである。各ステップは、品質基準計算部３１３が実行する。
【００６０】
ステップ１１０１：品質基準テーブル３１７の帳票ＩＤ７０１に、帳票ＩＤを登録する。
【００６１】
ステップ１１０２：帳票ＩＤをキーとして、帳票データテーブル３１４より、印字フィールド数４０３と、フィールド全体密度４０５の値を取得する。
【００６２】
ステップ１１０３：帳票ＩＤをキーとして、印字フィールドテーブル３１５より、フィールド内密度５０９を取得する。
【００６３】
ステップ１１０４：取得したフィールド内密度５０９をフィールド数で除算し、フィールド内平均密度を取得する。
【００６４】
ステップ１１０５：フィールド全体密度と、フィールド内平均密度より、内部規模ポイントを算出し、品質基準テーブル３１７の内部規模ポイント７０２に登録する。内部規模ポイントについては、帳票の内部特性を定量的な規模に換算した数値となる。
【００６５】
また、内部規模ポイントの計算については、フィールド全体密度、フィールド内平均密度に係数を付加して計算を行うが、利用者側で過去実績などを考慮した係数に変更することが可能である。例えば、以下のような計算式になる。
【００６６】
{（フィールド全体密度×係数Ｘ１）＋（フィールド内平均密度×係数Ｙ１）
＝内部規模ポイント}
【００６７】
フィールド全体密度が0.75、フィールド内平均密度が0.95、係数Ｘ１が60、係数Ｙ１が100である場合の内部規模ポイントは、上記計算式に従い、45＋95となり、140が算出される。係数Ｘ１、係数Ｙ１は、帳票の特性に合わせて、フィールド全体密度とフィールド内平均密度との重み付けとして、予め定めておくのがよい。
【００６８】
ステップ１１０６：帳票ＩＤをキーとして、環境設定テーブル３１６より、レコード数を取得する。取得した値を、品質基準テーブル３１７の環境設定数７０３に登録する。環境設定数については、帳票の外部特性を定量的な規模に換算した数値となる。
【００６９】
ステップ１１０７：品質基準テーブル３１７の内部規模ポイント７０２と、環境設定数７０３より、ＣＬ作成目標及び不具合摘出目標を算出し、品質基準テーブル３１７のＣＬ作成目標７０４と、不具合摘出目標７０５に登録する。
【００７０】
ＣＬ作成目標と不具合摘出目標の計算については、係数を付加して計算を行うが、内部規模ポイントの計算と同様に、利用者側で過去実績やテスト工程を考慮した係数に変更することが可能である。例えば、以下のような計算式になる。
【００７１】
｛（内部規模ポイント×（環境設定数×係数Ｘ２））×係数Ｙ２＝ＣＬ作成目標｝
｛ＣＬ作成目標÷係数Ｚ＝不具合摘出目標｝
【００７２】
内部規模ポイントが140、環境設定数が4、係数Ｘ２が0.75、係数Ｙ２が0.5、係数Ｚが10である場合、ＣＬ作成目標は上記計算式に従い、（140×（4×0.75））×0.5となり、210が算出される。不具合摘出目標は、210÷10となり、21が算出される。
【００７３】
係数Ｘ２、係数Ｙ２は、内部規模ポイントや環境設定数がチェック項目にどの程度寄与するかに基づいて定めておくのがよい。係数Ｚは、チェックリスト項目における不具合の可能性から予め定めておくのがよい。内部規模ポイント、ＣＬ作成目標、不具合摘出目標の上記の式は一例であり、帳票における品質を定量的に判断できるような式であれば、他の式でもかまわない。
【符号の説明】
【００７４】
２０１・・・帳票規模算出サーバ
３１１・・・フィールド内密度計算部
３１２・・・フィールド全体密度計算部
３１３・・・品質基準計算部
【図１】
2020087071.tif 000003
【図２】
2020087071.tif 000004
【図３】
2020087071.tif 000005
【図４】
2020087071.tif 000006
【図５】
2020087071.tif 000007
【図６】
2020087071.tif 000008
【図７】
2020087071.tif 000009
【図８Ａ】
2020087071.tif 000010
【図８Ｂ】
2020087071.tif 000011
【図９】
2020087071.tif 000012
【図１０】
2020087071.tif 000013
【図１１】
2020087071.tif 000014